(57)【特許請求の範囲】
【請求項１】
開口を有する遮光板と、
前記遮光板の後面側に配置され且つ少なくとも前記遮光板の開口を覆うように前記遮光板の開口に対応する領域だけ凸状に突出した突出部が形成された透明板と、
前記透明板の後面側に配置され且つ前記遮光板の開口を通して表示しようとする意匠が形成された意匠層と
を備え、前記遮光板の開口端部に対向する前記透明板の前面側部分がＲ付けされていることを特徴とする意匠装置。
【請求項２】
前記遮光板の開口端部が前記透明板側に屈曲あるいは湾曲されている請求項１に記載の意匠装置。
【請求項３】
前記意匠層は、前記透明板の後面に形成された凹部と、前記透明板の後面側に配置され且つ所望の模様が描かれた模様板からなる請求項１または２に記載の意匠装置。
【請求項４】
前記模様板は、前記遮光板の前面と同一の模様を有する請求項３に記載の意匠装置。
【請求項５】
前記遮光板は前面にヘアライン処理が施された金属板からなり、前記模様板の模様はヘアライン調である請求項４に記載の意匠装置。
【請求項６】
前記意匠層は透光性を有し、前記意匠層の後面側に光源が配置された請求項１〜５のいずれか一項に記載の意匠装置。
【発明の詳細な説明】
【技術分野】
【０００１】
この発明は、意匠装置に係り、特に透明板の前面側に配置された遮光板が浮いて見えるのを改善した意匠装置に関する。
【背景技術】
【０００２】
特許文献１には、数字、記号等の表示が型抜き形成された金属台片の後面側に第１着色層を配置し、金属台片の周辺及び第１着色層の後面側に透明な接着剤層を介して第２着色層を配置すると共に、金属面を有するプラスチックシートを第２着色層の後面側に配置した装飾ボードが開示されている。第１着色層が金属台片の表示から外部に表出され、第２着色層とプラスチックシートの金属面が金属台片の周辺から外部に表出されることにより、装飾ボードの意匠的外観が形成される。
【０００３】
【特許文献１】実開昭６２−１０３２３号公報
【発明の開示】
【発明が解決しようとする課題】
【０００４】
しかしながら、特許文献１の装飾ボードのように、金属台片等の遮光板の後面側に所定の厚さを有する透明板を介してプラスチックシートの金属面等の意匠層が配置される意匠装置においては、外光による遮光板端部の影が透明板を介して意匠層の上に顕著に映り、この影の存在によって遮光板が意匠層から浮いて見えるという問題がある。
このような意匠装置を例えば自動車の車内等に使用する際には、透明板の前面側に配置されて車内側に対向する遮光板が浮いて見えると、違和感を生じて好ましくない場合がある。透明板を薄くすれば、それだけ遮光板端部の影が小さくなるため、遮光板が浮いて見える現象は低減されるが、意匠装置全体として所定の強度を得ようとすると、厚い透明板を使用する必要が生じ、遮光板が大きく浮いて見えることとなる。
【０００５】
そこで、この発明は、従来の問題点を解消するためになされたもので、透明板の前面側に配置された遮光板が浮いて見える現象を低減することができる意匠装置を提供することを目的とする。
【課題を解決するための手段】
【０００６】
この発明に係る意匠装置は、開口を有する遮光板と、遮光板の後面側に配置され且つ少なくとも遮光板の開口を覆うように遮光板の開口に対応する領域だけ凸状に突出した突出部が形成された透明板と、透明板の後面側に配置され且つ遮光板の開口を通して表示しようとする意匠が形成された意匠層とを備えており、遮光板の開口端部に対向する透明板の前面側部分がＲ付けされたものである。
【０００７】
なお、遮光板の開口端部を透明板側に屈曲あるいは湾曲させることもできる。
また、意匠層は、透明板の後面に形成された凹部と、透明板の後面側に配置され且つ所望の模様が描かれた模様板から構成することができる。この場合、模様板が遮光板の前面と同一の模様を有するように構成してもよい。例えば、遮光板として、前面にヘアライン処理が施された金属板を用い、模様板の模様をヘアライン調とすることができる。
さらに、意匠層として透光性を有するものを用い、意匠層の後面側に光源を配置してもよい。
【発明の効果】
【０００８】
この発明によれば、遮光板の開口端部に対向する透明板の前面側部分がＲ付けされているので、この遮光板の開口端部付近から入射する外光は、Ｒ付けされた透明板の前面側部分によって種々の方向に屈折し、これにより遮光板の開口端部による影が不鮮明となる。したがって、遮光板が意匠層から浮いて見える現象は低減される。
【発明を実施するための最良の形態】
【０００９】
以下、この発明の実施の形態を添付図面に基づいて説明する。
実施の形態１
図１に実施の形態１に係る意匠装置の断面を示す。意匠装置は、開口１が形成された遮光板２を有しており、遮光板２の後面２ｂ側で且つ少なくとも遮光板２の開口１を覆うように透明板３が配置されている。透明板３の前面３ａには、遮光板２の開口１に対応する領域だけ台地状に突出した突出部３ｃが形成されると共に、遮光板２の開口１の端部に対向する突出部３ｃの周縁部分３ｄがＲ付けされている。透明板３の突出部３ｃは、遮光板２の厚さと同一の高さを有しており、この突出部３ｃを開口１に挿入して透明板３の前面３ａを遮光板２の後面２ｂに当接させることにより、遮光板２の前面２ａと突出部３ｃの前面３ｅは互いに同一平面となっている。
また、透明板３の後面３ｂにこの意匠装置で表示しようとする意匠に対応したパターンの凹部４が形成されると共に、この後面３ｂ側に所望の模様が描かれた模様板５が配置されている。透明板３の凹部４と模様板５によりこの発明の意匠層が構成されている。
【００１０】
具体的には、遮光板２として前面２ａにヘアライン処理を施した厚さ０．５ｍｍのステンレス板、透明板３として厚さ３ｍｍ（突出部３ｃでは厚さ３．５ｍｍ）のポリカーボネート板をそれぞれ使用すると共に、前面５ａにヘアライン調の模様が描かれた模様板５を使用した。また、透明板３の突出部３ｃの周縁部分３ｄにはＲ面取りを設定して半径０．５ｍｍの湾曲形状を付与した。
【００１１】
ただし、遮光板２は、ステンレスの他、アルミニウム等の各種金属を用いることができ、また、金属以外の遮光性材料を用いてもよい。
透明板３としては、ポリカーボネートの他、アクリル等の透明な樹脂板を用いることができるが、ガラス板を使用することもでき、凹部４の加工が可能な透明材であれば材質は限定されない。
模様板５の模様は、ヘアライン調に限るものではないが、遮光板２の前面２ａと同一の模様とすれば、遮光板２の開口１の内部と外部が互いに同じ材質から形成されているように見せることができる。
【００１２】
次に、この実施の形態１に係る意匠装置の作用について説明する。この意匠装置は、透明板３の凹部４と模様板５により描かれた意匠を表示するものであり、例えば遮光板２の前面２ａ及び透明板３の突出部３ｃの前面３ｅを室内に向けた状態で車両の室内等に設置される。
外光により透明板３を通して凹部４と模様板５で表される意匠を認識することができる。遮光板２の開口１内で露出している透明板３の突出部３ｃの前面３ｅに入射し、透明板３を通って凹部４に至る外光Ｌ０は、模様板５の前面５ａで反射し、再び凹部４と透明板３を通って外部へ至る。
【００１３】
上述したように、透明板３の突出部３ｃの周縁部分３ｄがＲ面取りされているため、図２に示されるように、遮光板２の開口１の端部付近に互いに平行に入射する外光Ｌ１〜Ｌ３は、突出部３ｃの周縁部分３ｄの湾曲した表面に対してそれぞれ異なる入射角を有し、それぞれ異なる方向に屈折することとなる。特に、図２に示した外光Ｌ１〜Ｌ３においては、遮光板２の開口１の端部ぎりぎりに入射した外光Ｌ１よりも開口１の端部から少し離れて突出部３ｃの周縁部分３ｄに入射した外光Ｌ２及びＬ３の方が、透明板３を透過した後に遮光板２の開口１の端部により近い位置で模様板５の前面５ａに到達していることがわかる。すなわち、外光Ｌ１により模様板５の前面５ａ上に映される開口１の端部の影の領域に外光Ｌ２及びＬ３が至り、影が薄くなって不鮮明となる。その結果、遮光板２が模様板５から浮いて見える現象は低減される。
【００１４】
仮に、突出部３ｃが存在せずに透明板３の前面３ａ’が図２に二点鎖線で示されるように平面状に形成されているものとすると、平行な外光Ｌ１〜Ｌ３の透明板３の前面３ａ’に対する入射角は互いに等しくなり、破線で示されるように、これらの外光Ｌ１〜Ｌ３は互いに同一の方向に屈折する。このため、外光Ｌ１〜Ｌ３のうち、遮光板２の開口１の端部ぎりぎりに入射した外光Ｌ１がもっとも遮光板２の開口１の端部に近い位置で模様板５の前面５ａに到達し、外光Ｌ１により模様板５の前面５ａ上に映される開口１の端部の影の領域に他の外光Ｌ２またはＬ３が至ることはない。その結果、模様板５の前面５ａ上に開口１の端部の影Ｓが鮮明に形成されることとなる。
【００１５】
このように、実施の形態１の意匠装置によれば、透明板３の前面３ａに遮光板２の開口１に挿入される突出部３ｃを形成すると共に開口１の端部に対向する突出部３ｃの周縁部分３ｄにＲ面取りを設定したので、遮光板２が意匠層から浮いて見える現象を低減することができる。
【００１６】
実施の形態２
図３に実施の形態２に係る意匠装置の断面を示す。この意匠装置は、図１に示した実施の形態１の意匠装置において、透明板３の突出部３ｃの周縁部分３ｄにＲ面取りを設定する代わりにＣ面取りを設定したものである。
【００１７】
図４に示されるように、遮光板２の開口１の端部付近に互いに平行に入射する外光Ｌ１〜Ｌ３は、突出部３ｃのＣ面取りされた周縁部分３ｄの傾斜面に入射し、互いに同一の方向に屈折する。ところが、周縁部分３ｄより内側の突出部３ｃの前面３ｅは周縁部分３ｄの傾斜面に対して異なる角度を有しているため、外光Ｌ１〜Ｌ３と平行に進行して周縁部分３ｄよりわずかに内側で突出部３ｃの前面３ｅに入射した外光Ｌ４は、外光Ｌ１〜Ｌ３の屈折方向とは大きく異なる方向に屈折し、遮光板２の開口１の端部ぎりぎりに入射した外光Ｌ１よりも遮光板２の開口１の端部により近い位置で模様板５の前面５ａに到達することとなる。すなわち、外光Ｌ１により模様板５の前面５ａ上に映される開口１の端部の影の領域に外光Ｌ４が至り、影が薄くなって不鮮明となる。その結果、遮光板２が模様板５から浮いて見える現象は低減される。
【００１８】
実施の形態３
図５に実施の形態３に係る意匠装置の断面を示す。この意匠装置は、図２に示した実施の形態２の意匠装置において、遮光板２の開口１の端部を透明板３側に屈曲させたものである。
このような構成とすることにより、開口１を通して遮光板２の端面が見えにくくなるので、あたかも厚い遮光板２であるように見える。したがって、高級感を向上させることが可能となる。
【００１９】
なお、遮光板２の開口１の端部を透明板３側に屈曲させる代わりに、透明板３側に湾曲させても同様の効果が得られる。
また、図５では、透明板３の突出部３ｃの周縁部分３ｄがＣ面取りされているが、実施の形態１のように透明板３の突出部３ｃの周縁部分３ｄにＲ面取りが設定された意匠装置において、遮光板２の開口１の端部を透明板３側に屈曲あるいは湾曲させることもできる。
【００２０】
実施の形態４
図６に実施の形態４に係る意匠装置の断面を示す。この意匠装置は、図１に示した実施の形態１の意匠装置において、模様板５として透光性を有するものを用い、模様板５の後面５ｂ側に光源６を配置したものである。
光源６の非発光時には、外光により遮光板２の開口１及び透明板３を通して凹部４と模様板５により表される意匠を認識することができる。このとき、模様板５が遮光板２の前面２ａと同一の模様を有していれば、遮光板２の開口１の内部と外部が互いに同じ材質から形成されているように見せることができる。
【００２１】
一方、光源６を発光させると、光源６から発した光Ｌ５が透光性の模様板５と透明板３を透過して外部へ出射される。これにより、透明板３の凹部４と模様板５により表される意匠が光って見えることとなる。このとき、遮光板２の開口１内だけが光るので、看者に驚きの印象を与えることができる。
【００２２】
光源６としては、少なくとも遮光板２の開口１内に光を発することができるものであればよく、ＬＥＤ、蛍光管等を配列したものや、ＬＥＤ、蛍光管等からの光をライトガイドで案内するものを使用することができる。さらに、エレクトロルミネッセンス素子等の面発光装置を用いることもできる。
なお、実施の形態１の意匠装置だけでなく、実施の形態２あるいは３の意匠装置に対しても、模様板５を透光性のものとし、模様板５の後面５ｂ側に光源６を配置することができる。
【００２３】
実施の形態５
上記の実施の形態１〜４において、遮光板２の前面２ａと透明板３の突出部３ｃの表面は、必ずしも互いに同一平面とする必要はない。例えば、図７に示されるように透明板３の突出部３ｃの前面３ｅが遮光板２の前面２ａより高く形成されてもよく、また、図８に示されるように透明板３の突出部３ｃの前面３ｅが遮光板２の前面２ａより低く形成されてもよい。
【００２４】
なお、上記の実施の形態１〜５においては、透明板３の凹部４と模様板５により意匠層を構成したが、これに限るものではなく、例えば透明板３に凹部を形成せず、表示しようとする意匠が描かれた意匠板を透明板３の後面側に配置するだけでもよい。
【００２５】
この発明の意匠装置は、例えば自動車等の車両の室内において、スカッフプレートに設置することができる。スカッフプレートに実施の形態１〜５のいずれかで構成される意匠装置を組み込んで、例えば車種や会社名を表す文字を表示すれば、遮光板が意匠層から浮いて見える現象を低減しつつ見映えのよい表示を行うことができる。
文字に限らず、ロゴやマーク、あるいは幾何学模様等を意匠装置に表示させてもよい。また、この意匠装置を車内の照明として利用することも可能である。
スカッフプレートにこの発明の意匠装置を組み込む場合には、ドアを開いたときに意匠装置が点灯するように、意匠装置をドアの開閉に連動させて駆動することが好ましい。
【００２６】
スカッフプレートの他、この発明に係る意匠装置は、車両の室内の各所に設置することができる。さらに、自動車等の車両に限るものではなく、建造物の室内や家具、電化製品等にこの発明の意匠装置を設置することもでき、設置場所には限定されない。
なお、本明細書において、透明板の前面側部分を「Ｒ付けされていること」には、上述したＲ面取りやＣ面取りが含まれることは言うまでもないが、これに限定されず、例えば、楕円状のＲ面取りでもよいし、２面以上の多面取りされた形状であってもよい。さらに、これらの面取りの組み合わせであってもよい。
【図面の簡単な説明】
【００２７】
【図１】実施の形態１に係る意匠装置の構造を示す断面図である。
【図２】実施の形態１に係る意匠装置の作用を示す部分拡大断面図である。
【図３】実施の形態２に係る意匠装置の構造を示す断面図である。
【図４】実施の形態２に係る意匠装置の作用を示す部分拡大断面図である。
【図５】実施の形態３に係る意匠装置の構造を示す断面図である。
【図６】実施の形態４に係る意匠装置の構造を示す断面図である。
【図７】実施の形態５に係る意匠装置の構造を示す断面図である。
【図８】実施の形態５の変形例に係る意匠装置の構造を示す断面図である。
【符号の説明】
【００２８】
１  開口、２  遮光板、３  透明板、４  凹部、５  模様板、６  光源、２ａ，３ａ，３ｅ，５ａ  前面、２ｂ，３ｂ，５ｂ  後面、３ｃ  突出部、３ｄ  周縁部分、Ｌ０〜Ｌ４  外光、Ｌ５  光。
【図１】
0004736941.tif 000002
【図２】
0004736941.tif 000003
【図３】
0004736941.tif 000004
【図４】
0004736941.tif 000005
【図５】
0004736941.tif 000006
【図６】
0004736941.tif 000007
【図７】
0004736941.tif 000008
【図８】
0004736941.tif 000009